【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
1つまたは複数の基地局と通信するユーザ機器(UE)のワイヤレス通信の方法であって、
第1のアプリケーションの第1の好適な無線アクセス技術(RAT)を決定するステップと、
前記1つまたは複数の基地局と通信している第1のキャリア上で使用されるRATを決定するステップと、
前記第1のアプリケーションが、前記第1のキャリア上で使用される前記RATおよび前記第1の好適なRATに基づいて、前記第1のキャリア上で前記1つまたは複数の基地局とデータを通信することを選択的に可能におよび無効にするステップと、
前記第1のキャリア上で使用される前記RATが、前記第1の好適なRATより低いとの第1の決定を実行するステップであって、前記第1の好適なRATより低いキャリアは、好適なRATに対して以前の世代のRATで動作するキャリアであり、かつ、前記第1の好適なRATより高いキャリアは、好適なRATに対して後続の世代のRATで動作するキャリアである、ステップと、
前記第1の好適なRATを使用して前記1つまたは複数の基地局と通信している第2のキャリアが利用可能であるとの第2の決定を実行するステップと、
前記第1の決定および前記第2の決定に応答して、前記第2のキャリアを使用し、かつ前記第1のアプリケーションが前記第2のキャリア上で前記1つまたは複数の基地局とデータを通信することを可能にするステップと、
割込みが発生しない限り、所定の時間期間の間、前記1つまたは複数の基地局との前記第2のキャリアを使用した第2のアプリケーションのデータ通信を中断するステップであって、前記第2のアプリケーションの第2の好適なRATが前記第2のキャリア上で使用されるRATより低い、ステップと
を含む、方法。
【請求項２】
前記第2のアプリケーションの前記データ通信を再開するためのユーザ要求に応答して、前記所定の時間期間内の前記中断を打ち切るステップと、
前記第2のキャリア上で前記1つまたは複数の基地局との前記第2のアプリケーションの前記データ通信を再開するステップと
を含む、請求項1に記載の方法。
【請求項３】
前記所定の時間期間の後、前記1つまたは複数の基地局と通信している現在のキャリア上の現在のRATを決定するステップと、
前記第2の好適なRATが前記現在のRATより低いかどうかを決定するステップと、
前記第2の好適なRATが前記現在のRATより低くないものと決定することに応答して、前記現在のキャリア上で前記1つまたは複数の基地局との前記第2のアプリケーションの前記データ通信を再開するステップと、
前記第2の好適なRATが前記現在のRATより低いものと決定することに応答して、割込みが発生しない限り、別の所定の時間期間の間、前記1つまたは複数の基地局との前記第2のアプリケーションの前記データ通信を中断するステップと
を含む、請求項1に記載の方法。
【請求項４】
前記中断の数が所定のしきい値より大きいものと決定するステップと、
前記中断の前記数が前記所定のしきい値より大きいものと決定することに応答して、前記現在のキャリアを介して前記1つまたは複数の基地局との前記第2のアプリケーションの前記データ通信を再開するステップと
を含む、請求項3に記載の方法。
【請求項５】
前記第1のキャリア上で使用される前記RATが、前記第1の好適なRATであるものと決定するステップと、
前記第1のキャリア上で使用される前記RATが前記第1の好適なRATであるものと前記決定することに応答して、前記第1のアプリケーションが前記第1のキャリア上でデータを通信することを可能にするステップと
を含む、請求項1に記載の方法。
【請求項６】
前記第1のキャリア上で使用される前記RATが、前記第1の好適なRATより高いとの第1の決定を実行するステップと、
前記第1の好適なRATを使用する第2のキャリアが利用可能であるとの第2の決定を実行するステップと、
前記第1の決定および前記第2の決定に応答して、前記第2のキャリアを使用し、かつ前記第1のアプリケーションが前記第2のキャリア上で前記1つまたは複数の基地局とデータを通信することを可能にするステップと
を含む、請求項1に記載の方法。
【請求項７】
前記第1の好適なRATを設定するステップを含む、請求項1に記載の方法。
【請求項８】
1つまたは複数の基地局とのワイヤレス通信のための装置であって、前記装置が、ユーザ機器(UE)であり、
第1のアプリケーションの第1の好適な無線アクセス技術(RAT)を決定するための手段と、
前記1つまたは複数の基地局と通信している第1のキャリア上で使用されるRATを決定するための手段と、
前記第1のアプリケーションが、前記第1のキャリア上で使用される前記RATおよび前記第1の好適なRATに基づいて、前記第1のキャリア上で前記1つまたは複数の基地局とデータを通信することを選択的に可能におよび無効にするための手段と、
前記第1のキャリア上で使用される前記RATが、前記第1の好適なRATより低いとの第1の決定を実行するための手段であって、前記第1の好適なRATより低いキャリアは、好適なRATに対して以前の世代のRATで動作するキャリアであり、かつ、前記第1の好適なRATより高いキャリアは、好適なRATに対して後続の世代のRATで動作するキャリアである、手段と、
前記第1の好適なRATを使用して前記1つまたは複数の基地局と通信している第2のキャリアが利用可能であるとの第2の決定を実行するための手段と、
前記第1の決定および前記第2の決定に応答して、前記第2のキャリアを使用し、かつ前記第1のアプリケーションが前記第2のキャリア上で前記1つまたは複数の基地局とデータを通信することを可能にするための手段と、
割込みが発生しない限り、所定の時間期間の間、前記1つまたは複数の基地局との第2のアプリケーションのデータ通信を中断するための手段であって、前記第2のアプリケーションの第2の好適なRATが前記第2のキャリア上で使用されるRATより低い、手段と
を含む、装置。
【請求項９】
要求に応答して、前記所定の時間期間内の前記中断を打ち切るための手段と、
前記第2のキャリア上で前記1つまたは複数の基地局との前記第2のアプリケーションの前記データ通信を再開するための手段と
を含む、請求項8に記載の装置。
【請求項１０】
前記所定の時間期間の後、前記1つまたは複数の基地局と通信している現在のキャリア上の現在のRATを決定するための手段と、
前記第2の好適なRATが前記現在のRATより低いかどうかを決定するための手段と、
前記第2の好適なRATが前記現在のRATより低くないものと決定することに応答して、前記現在のキャリア上で前記1つまたは複数の基地局との前記第2のアプリケーションの前記データ通信を再開するための手段と、
前記第2の好適なRATが前記現在のRATより低いものと決定することに応答して、割込みが発生しない限り、別の所定の時間期間の間、前記1つまたは複数の基地局との前記第2のアプリケーションの前記データ通信を中断するための手段と
を含む、請求項8に記載の装置。
【請求項１１】
前記中断の数が所定のしきい値より大きいものと決定するための手段と、
前記中断の前記数が前記所定のしきい値より大きいものと決定することに応答して、前記現在のキャリアを介して前記1つまたは複数の基地局との前記第2のアプリケーションの前記データ通信を再開するための手段と
を含む、請求項10に記載の装置。
【請求項１２】
前記第1のキャリア上で使用される前記RATが、前記第1の好適なRATであるものと決定するための手段と、
前記第1のキャリア上で使用される前記RATが前記第1の好適なRATであるものと前記決定することに応答して、前記第1のアプリケーションが前記第1のキャリア上でデータを通信することを可能にするための手段と
を含む、請求項8に記載の装置。
【請求項１３】
前記第1のキャリア上で使用される前記RATが、前記第1の好適なRATより高いとの第1の決定を実行するための手段と、
前記第1の好適なRATを使用する第2のキャリアが利用可能であるとの第2の決定を実行するための手段と、
前記第1の決定および前記第2の決定に応答して、前記第2のキャリアを使用し、かつ前記第1のアプリケーションが前記第2のキャリア上で前記1つまたは複数の基地局とデータを通信することを可能にするための手段と
を含む、請求項8に記載の装置。
【請求項１４】
前記第1の好適なRATを設定するための手段を含む、請求項8に記載の装置。
【請求項１５】
1つまたは複数の基地局と通信するための、コンピュータ可読記録媒体に記憶されたコンピュータプログラムであって、少なくとも1つのプロセッサ上で実行されたとき、前記少なくとも1つのプロセッサに、請求項1乃至7のいずれか1項に記載の方法を実行させるコードを含む、コンピュータプログラム。